(57)【特許請求の範囲】
【請求項１】
商家の銀行口座番号情報を含む商家情報を保存するように設けられたデータベースと、
商家又は商品を選択し、前記データベースから選択された商家の商家情報又は選択された商品の帰属商家の商家情報を取得するように設けられた選択モジュールと、
商家情報をPOS機器端末にダウンロードするように設けられたダウンロードモジュールと、
消費者の銀行口座番号情報を取得し、商家情報を受信し、商家情報、消費者の銀行口座番号情報、取引情報を暗号化した後に銀行カード決済取引システムに送信して取引を完成させるように設けられたPOS機器端末と、
を含むPOS機器カード決済システム。
【請求項２】
前記POS機器カード決済システムはさらにローカル暗号化モジュールを含み、
前記ローカル暗号化モジュールは、前記選択モジュールが取得した商家情報を暗号化し且つデジタル署名情報を付加するように設けられている、請求項1に記載のPOS機器カード決済システム。
【請求項３】
前記POS機器端末は、
POS機器端末とダウンロードモジュールを接続し、前記ダウンロードモジュールから選択された商家又は商品に対応する商家情報を受信するように設けられたインタフェースモジュールと、
消費者の銀行口座番号情報を取得するように設けられた消費者情報取得モジュールと、
銀行カード決済取引システムに送信された商家情報、消費者の銀行口座番号情報、取引情報を暗号化するように設けられた暗号/復号化モジュールと、
商家情報を取得した後にカード決済取引を許可し、そうでないと操作失敗を提示するように設けられたカード決済ロジックコントローラと、
含む、請求項1又は2に記載のPOS機器カード決済システム。
【請求項４】
前記暗号/復号化モジュールはさらに、暗号化された商家情報を受信する時、前記暗号化された商家情報を復号化して署名照合するように設けられている、請求項3に記載のPOS機器カード決済システム。
【請求項５】
前記選択モジュールはさらに、前記データベースを操作し、データベースにおける商家情報の追加、修正、又は削除操作を実行するように設けられている、請求項1に記載のPOS機器カード決済システム。
【請求項６】
POS機器カード決済システムが選択した商家又は商品に対応する商家情報を受信するように設けられたインタフェースモジュールと、
消費者の銀行口座番号情報を取得するように設けられた消費者情報取得モジュールと
銀行カード決済取引システムに送信された商家情報、消費者の銀行口座番号情報、取引情報を暗号化するように設けられた暗号/復号化モジュールと、
商家情報を取得した後にカード決済取引を許可し、そうでないと操作失敗を提示するように設けられたカード決済ロジックコントローラと、
を含むPOS機器端末。
【請求項７】
前記暗号/復号化モジュールはさらに、暗号化された商家情報を受信する時、前記暗号化された商家情報を復号化し署名照合するように設けられている、請求項6に記載のPOS機器端末。
【請求項８】
POS機器カード決済システムによって商品又は商家を選択し、選定された商品又は商家に基づいてデータベースから対応する商家の銀行口座番号情報を含む商家情報を取得し、取得した商家情報をPOS機器端末にダウンロードすることと、
POS機器端末が商家情報を受信し、消費者の銀行口座番号情報を取得し、商家情報、消費者の銀行口座番号情報、取引情報を暗号化した後に銀行カード決済取引システムに送信することと、
を含むPOS機器カード決済取引方法。
【請求項９】
さらに、POS機器カード決済システムにおいて商家を追加又は削除し、又は商家情報を修正する必要があると、データベースに商家情報の追加、削除又は修正操作を実行することを含む請求項8に記載のPOS機器カード決済取引方法。
【請求項１０】
さらに、POS機器カード決済システムによって商品又は商家を選択する前に、前記POS機器カード決済システムがデータベースから選定された商家又は商品の商家情報を取得することを含み、
前記取得することが、
直接にマウス又はキーボードによって商家を選択し、前記データベースから選定された商家の商家情報を取得すること、又は、
マウス又はキーボードによって商品を選択し、まず前記データベースから該選択された商品に対応する商家を取得し、さらに前記データベースから選定された商品に対応する商家情報を取得すること、又は、
キーボードによって直接に商家コードを入力し、商家コードに従って前記データベースから選定された商家の商家情報を取得することを含む、請求項8に記載のPOS機器カード決済取引方法。
【発明の詳細な説明】
【技術分野】
【０００１】
本発明はP0S機器カード決済支払い技術分野に関し、特に自由に商家を拡張できるP0S機器、P0S機器カード決済システム及びそのカード決済取引方法に関する。
【背景技術】
【０００２】
銀行カードが日増しに普及されていることにつれて、多くの人々は銀行カードを採用してカード決済で消費し始め、商家のところで消費した後、POS機器によるカード決済により消費及び支払いを行い、従来のように多量の現金を持って消費及び支払いを行う必要がない。カード決済消費の流行につれて、多くの商家は、消費者のPOS機器によるカード決済消費のため、POS機器の導入を考慮し始めた。しかし、POS機器の価格が高く、配置費用も高く、売上高が低い商家はPOS機器を導入することが困難である。
【０００３】
従来のPOS機器には固定の商家口座番号と所属銀行コードが書き込まれ、いくつかの小商家は共同して1台のPOS機器を導入してともにこのPOS機器でカード決済取引を行うと、統一的に1つの銀聯口座に振替し、小さい商家の間はさらに自分で勘定を区分し、この方法ははっきり区分し難く、各種の紛争が生じやすい。
【０００４】
現在、市場上のPOSカード決済システムが採用している解決方法は、大型の第三者がPOS機器を導入し、カード決済取引による所得を第三者により分割することである。従来の大型デパートはいずれも前記の方法を採用し、すべての取引による所得金額を第三者の口座（普通はデパートの管理者である）に振替し、第三者は月ごとにそれぞれの商家と決算し、代金が月末に商家の口座に入金される。同時に、第三者は所定比例の手数料を受取る。
【０００５】
上記の2種類の方法は、いずれも複数の商家が同一のPOS端末を使用する際に存在する問題を解決することができないとともに、商家口座番号を固定したため商家の数を自由に拡張することもできない。
【発明の概要】
【発明が解決しようとする課題】
【０００６】
本発明が解決しようとする技術問題は、POS機器、POS機器カード決済システム及びそのカード決済取引方法を提供し、従来のPOS機器端末及びカード決済システムにおいて固定の商家がカード決済するしかできない、自由に商家を拡張できない欠点を克服することにある。
【課題を解決するための手段】
【０００７】
前記問題を解決するために、本発明はPOS機器カード決済システムを提案し、
商家の銀行口座番号情報を含む商家情報を保存するように設けられたデータベースと、
商家又は商品を選択し、前記データベースから選択された商家の商家情報又は選択された商品の帰属商家の商家情報を取得するように設けられた選択モジュールと、
商家情報をPOS機器端末にダウンロードするように設けられたダウンロードモジュールと、
消費者の銀行口座番号情報を取得し、商家情報を受信し、商家情報、消費者の銀行口座番号情報、取引情報を暗号化した後に銀行カード決済取引システムに送信して取引を完成するように設けられたPOS機器端末を含む。
【０００８】
前記POS機器カード決済システムは、さらに前記選択モジュールが取得した商家情報を暗号化し且つデジタル署名情報を付加するように設けられたローカル暗号化モジュールを含む。
【０００９】
前記POS機器端末は、
POS機器端末とダウンロードモジュールを接続し、前記ダウンロードモジュールから選択された商家又は商品に対応する商家情報を受信するように設けられたインタフェースモジュールと、
消費者の銀行口座番号情報を取得するように設けられた消費者情報取得モジュールと、
銀行カード決済取引システムに送信された商家情報、消費者の銀行口座番号情報、取引情報を暗号化するように設けられた暗号/復号化モジュールと、
商家情報を取得した後にカード決済取引を許可し、そうでないと操作失敗を提示するように設けられたカード決済ロジックコントローラと、を含む。
【００１０】
前記暗号/復号化モジュールはさらに、暗号化された商家情報を受信する時、前記暗号化された商家情報を復号化し署名照合するように設けられている。
【００１１】
前記選択モジュールはさらに、前記データベースを操作し、データベースにおける商家情報の追加、修正、又は削除操作を実行するように設けられている。
【００１２】
本発明はさらにPOS機器端末を提供し、
POS機器カード決済システムが選択した商家又は商品に対応する商家情報を受信するように設けられたインタフェースモジュールと、
消費者の銀行口座番号情報を取得するように設けられた消費者情報取得モジュールと、
銀行カード決済取引システムに送信された商家情報、消費者の銀行口座番号情報、取引情報を暗号化するように設けられた暗号/復号化モジュールと、
商家情報を取得した後にカード決済取引を許可し、そうでないと操作失敗を提示するように設けられたカード決済ロジックコントローラと、を含む。
【００１３】
前記暗号/復号化モジュールはさらに、暗号化された商家情報を受信する時、前記暗号化された商家情報を復号化し署名照合するように設けられている。
【００１４】
本発明はさらにPOS機器カード決済取引方法を提供し、
POS機器カード決済システムによって商品又は商家を選択し、選定された商品又は商家に基づいてデータベースから対応する商家の銀行口座番号情報を含む商家情報を取得し、取得した商家情報をPOS機器端末にダウンロードすることと、
POS機器端末が商家情報を受信し、消費者の銀行口座番号情報を取得し、商家情報、消費者の銀行口座番号情報、取引情報を暗号化した後に銀行カード決済取引システムに送信することと、を含む。
【００１５】
前記方法は、さらに、POS機器カード決済システムにおいて商家を追加又は削除し、又は商家情報を修正する必要があると、データベースに商家情報の追加、削除又は修正操作を実行することを含む。
【００１６】
該方法はさらに、POS機器カード決済システムによって商品又は商家を選択する前に、前記POS機器カード決済システムがデータベースから選定された商家又は商品の商家情報を取得することをさらに含み、
該取得することが、
直接にマウス又はキーボードによって商家を選択し、前記データベースから選定された商家の商家情報を取得すること、又は、
マウス又はキーボードによって商品を選択し、まず前記データベースから該選択された商品に対応する商家を取得し、さらに前記データベースから選定された商品に対応する商家情報を取得すること、又は、
キーボードによって直接に商家コードを入力し、商家コードに従って前記データベースから選定された商家の商家情報を取得することを含む。
【発明の効果】
【００１７】
従来の技術に比べて、本発明によるPOS機器カード決済システムは、商品及び/又は商家情報を保存するためのデータベース、商品又は商家を選択するための選択モジュール、ダウンロードモジュールを導入し、従って、取引中の商家情報をダウンロードシステムにより動的にダウンロードし、POS端末における商家口座番号と所属銀行コード情報を今回の取引する実際の商家に従って修正できるので、従来のPOS機器が1つの商家の口座番号のみに関連する現状を改変し、POS機器を単一の商家の私有から複数の商家の共用にさせる。いずれの商家は銀行カード決済システムにおいて口座番号を持っていると、このPOS端末においてカード決済で取引を完成することができる。
【００１８】
本発明によるPOS機器カード決済システムを使用すると、このPOS機器において取引を完成できる商家が限定されなくなり、自由に拡張することができる。特に小さい商家が集中し、商家の流動性が速い商店街又はショッピングモールに適合する。新しい商家が入った後、この商家の銀聯口座番号情報、所属銀行のコード等の情報を商品と商家情報のデータベースに入力するだけで、この商家はこのPOS機器を使用してカード決済取引を行なうことができるようになる。商家が離れると、簡単にこの商家情報をデータベースから除去し又は一時停止することができる。また、本発明はさらに商品と商家展示の選択モジュールを提供し、商品と商家の展示プラットホームとし、使用者は直観的に商品と商家を選択してカード決済取引を行なうことができる。
【図面の簡単な説明】
【００１９】
【図１】本発明によるPOS機器カード決済システムの構造模式図である。
【図２】本発明によるUSB-POS機器端末の構造模式図である。
【図３】本発明によるPOS機器カード決済取引のフローチャートである。
【発明を実施するための形態】
【００２０】
本発明の目的、技術案及びメリットをより明らかにするため、以下、図面を参照して本発明をさらに詳しく説明する。
【００２１】
本発明によるPOS機器カード決済システムは、商家を選択する方法で、今取引を行なう必要のある商家に対して、動的に安全的に商家情報をPOS機器端末にダウンロードし、従って該商家と取引する消費者が直接にカード決済で該商家と取引することができるようになり、このように1台のPOS機器端末に複数の商家の独立引取を完成することができ、且つ商家を追加、修正又は削除することができ、優れた拡張性を有する。
【００２２】
以下、USB-POS機器端末及び国内の銀聯システムにおける銀聯取引システムと銀聯カードを例として説明する。
【００２３】
図1に示すように、本発明による複数の商家が共用できるPOS機器カード決済システムは、下記のデータベース102、選択モジュール101、ローカル暗号化モジュール103、ダウンロードモジュール104、USB-POS端末105を含む。
【００２４】
データベース102は、商品情報及び商家情報、商品と商家の関連する情報を記憶するためのものであり、前記商品情報がある商品の所属商家情報を含み、前記商家情報が商家の口座番号情報を含み、さらに商家コード、商家口座番号の所属銀行コード等の情報を含んでもよく、口座番号情報に通常その所属銀行のコードを暗に含むため、口座番号情報のみを保存してもよく、口座番号情報から対応する銀行コードを読み取る。
【００２５】
選択モジュール101は、商品及び/又は商家の情報を表示し且つ操作者が商家又は商品を選択するためのものであり、複数の物理入力設備を含んでもよく、操作者がマウス、キーボードを含む入力設備を使用し、表示している商品又は商家を選択することができ、操作者が、商家コードを入力することにより、自動的に指定される商家に関連付けて商家を選択することもできる。
【００２６】
操作者がマウス又はキーボードを使用してある商品を選択した後、システムは、自動的にデータベースから選定された商品に対応する前記商家の関連情報を取得し、その後に自動的にこの商家の口座番号情報及び所属銀行コード情報を取得する。
【００２７】
操作者がある商家を選択する時、システムは、自動的にデータベースから直接にこの商家の口座番号情報と所属銀行コード情報を取得し、使用者が商家コードを入力した後、本選択モジュールは自動的にデータベースからこの商家の口座番号情報と所属銀行コード情報を取得する。
【００２８】
ローカル暗号化モジュール103は、POS機器端末にダウンロードする必要のある商家情報を暗号化しデジタル署名を付加し、POS端末にダウンロードした商家情報の合法と未改竄を確保し、つまり非認可情報と誤り情報をPOS端末にダウンロードした後にPOS端末に書き込みないことを保証し、従って取引の安全を確保する。
【００２９】
ダウンロードモジュール104は、ダウンロードコントロール部分とUSBインタフェース部分を含み、商家口座番号と所属銀行コード等の情報をUSBインタフェースの方式によってPOS機器端末にダウンロードすることを担当し、他の種類のインタフェースのPOS端末に対しても対応するインタフェースを採用すればよい。
【００３０】
USB-POS端末105は、使用者の銀聯カードの消費者口座番号情報を読み取ることを担当し、POS端末はさらに取引情報、商家情報（商家の口座番号情報を含む）、消費者の銀行カードの口座番号情報を銀聯システムにアップロードし、銀聯システムから返した取引結果を受信することを担当する。必要な時、使用者は暗号化キーボードで銀聯カードのパスワードを入力して、パスワードを暗号化した後に銀聯システムに送信することができる。銀行カードが他の暗号化方法、例えば指紋暗号化を採用すると、指紋認識装置を採用して指紋パスワードを取得することもできる。
【００３１】
図2に示すように、USB-POS端末105は、主に下記のUSBインタフェースモジュール201、暗号/復号化モジュール202、暗号化キーボード203、記憶装置204、消費者情報取得モジュール205、カード決済ロジック制御モジュール206を含む。
【００３２】
USBインタフェースモジュール201は、POS端末と商品及び商家ダウンロードモジュールとのインタフェースである。
【００３３】
暗号/復号化モジュール202は、ダウンロードされた商家口座番号情報と所属銀行コード情報を復号化しデジタル署名を検証し、且つ検証結果をカード決済ロジック制御モジュール206に送信し、さらに銀行カード決済取引システムに送信した商家情報、消費者の銀行口座番号情報、パスワード、取引情報を暗号化することに用いられる。
【００３４】
暗号化キーボード203は、消費者がカード決済した後に入力した銀行カードのパスワードを受信し、且つ消費者が入力した銀行カードパスワードを暗号化し、消費者がパスワードを入力した後にライン上のすべてのパスワードの伝送がいずれも暗号文伝送であることを保証することに用いられ、パスワードの入力方法の相違に従って、対応する設備、例えば指紋スキャナー、又は瞳孔スキャナー等に取り替えて、指紋又は瞳孔情報を取得することによりパスワードを取得する。
【００３５】
記憶装置204は、POSカード決済取引に必要な各種の情報を保存し、現在の商家口座番号情報と商家所属銀行カードコード情報を記憶することに用いられ、消去書き込み可能記憶装置であってもよく、通常FLASH技術或はEEPROM技術を採用する。本発明のもう1つの実施方式においては、POS機器端末には記憶装置モジュールを設けなくてもよく、POS機器の毎回のカード決済は1つの商家のみの口座番号の存在を許可するため、商家情報を保存する必要がなく、カード決済の際に一時的に該商家の情報を保存すればよく、カード決済が終了後、該商家の情報を削除することができる。
【００３６】
消費者情報取得モジュール205は、使用者の銀聯カードの磁気トラック情報を読み取ることを担当し、該モジュールは使用者が持っているカードの相違に従って、例えば、携帯無線支払POS設備である場合、無線周波数ICカードに取り替えることができ、又は使用者が持っているのがメモリであり、例えば銀行のカードシールドである場合、該認識モジュールの替わりにカード読取装置を使用してもよい。
【００３７】
カード決済ロジック制御モジュール206は、POS機器端末におけるカード決済取引フローを制御し、ローカル複号化モジュール202がダウンロードされた商家情報を検証して成功した後、取引を許可し、使用者にカード決済を提示し、ダウンロードされた商家情報を検証して失敗した場合、直接に失敗を提示し、又は改めて商家又は商品を選択することを提示する。
【００３８】
図3に示すように、本発明の拡張可能な共用POSシステムを応用してカード決済取引を行なうフローは下記の通りである。
【００３９】
ステップ1において、操作者は、選択モジュールにおいてマウス、キーボード等の物理入力設備を使用して商品又は商家を選択し、又は、キーボードを使用して直接に商家コードを入力する。
【００４０】
ステップ2において、選択モジュールは、使用者が選択したのが商品か商家かを判断し、商品であると、データベースを調べてこの商品の所属商家情報を取得し、ステップ3に移行し、使用者が選択したのが商家である、又は直接に商家コードを入力すると、ステップ3に移行する。
【００４１】
ステップ3において、選択モジュールは、商家情報に従ってデータベースから商家の口座番号情報と所属銀行カードコード情報を取得する。
【００４２】
ステップ4において、ローカル暗号化モジュールは、商家の口座番号情報と所属銀行カードコード等の情報を暗号化して、デジタル署名を付加する。
【００４３】
ステップ5において、ダウンロードモジュールは、暗号化された商家情報（主に商家口座番号と所属銀行コードである）をUSBインタフェースによってPOS端末にダウンロードする。
【００４４】
ステップ6において、USB-POS端末の暗号/復号化モジュールは、暗号化された商家情報を複号化して、デジタル署名を検証する。
【００４５】
ステップ7において、商家情報の検証が失敗すると、使用者に改めて商品又は商家を選択することを提示し、復号化された後、デジタル署名の検証が成功すると、カード決済取引を行なうことを許可し、商家情報を商家情報記憶装置に書き込んで、消費者にカード決済を提示する。
【００４６】
ステップ8において、消費者はPOS機器に銀行カードを使用する。
【００４７】
ステップ9において、消費者は暗号化キーボードで銀行カードのパスワードを入力する。
【００４８】
ステップ10において、消費者は支払いを確認し、POS機器は取引情報、商家情報、消費者口座番号及びパスワード情報を暗号化した後に銀行カード決済取引システムにアップロードし、取引を完成し、且つ銀行カード決済取引システムが返した取引結果を表示する。
【００４９】
以上は本発明の実施例に過ぎず、且つ本発明を制限するものではなく、当業者にとって、本発明は各種の変更と変化を行うことができる。本発明の精神と原則の内に行ったいずれの修正、同等交替、改良等は、いずれも本発明の請求の範囲に含まれるべきである。
【産業上の利用可能性】
【００５０】
本発明によるPOS機器カード決済システムを使用すると、このPOS機器において取引を完成できる商家が限定されなくなり、自由に拡張することができる。特に小さい商家が集中し、商家の流動性が速い商店街又はショッピングモールに適合する。新しい商家が入った後、この商家の銀聯口座番号情報、所属銀行のコード等の情報を商品と商家情報のデータベースに入力するだけで、この商家はこのPOS機器を使用してカード決済取引を行なうことができるようになる。商家が離れる時、簡単にこの商家情報をデータベースから除去し又は一時停止することができる。また、本発明はさらに商品と商家展示の選択モジュールを提供し、商品と商家の展示プラットホームとし、使用者は直観的に商品と商家を選択してカード決済取引を行なうことができる。
【図１】
0005575323.tif 000002
【図２】
0005575323.tif 000003
【図３】
0005575323.tif 000004